(57)【要約】【課題】可撓管への取付作業を軽減しながら、シャワヘッドの引出し時においてシャワヘッドがシャワホルダから出すぎるのを制限できる樹脂製ストッパを提供すること。【解決手段】シャワヘッド３を引出し可能に支持するシャワホルダ３ａに下流端部４ａが挿入された状態で、水栓本体２内で混合される湯水混合水をシャワヘッド３の側に供給する混合水供給管２ａの下流端Ｎとシャワヘッド３の上流端Ｍとに接続された可撓管４に取付けられ、シャワヘッド３の引出し時においてシャワヘッド３がシャワホルダ３ａから出すぎるのを制限する筒状の樹脂製ストッパ２０であって、このストッパ２０が二つの半割り体２１，２２で形成されるとともに、可撓管４の外周面Ａに形成された螺旋溝２３に嵌まり込む突条２４，２５が、それぞれ前記半割り体２１，２２の内周面２１ａ，２２ａに設けられ、更に、一方の半割り体２１には係止部３３、他方の半割り体２２には被係止部３５が設けられている。【選択図】          図２
2005016259.tif 000002
【特許請求の範囲】
【請求項１】
シャワヘッドを引出し可能に支持するシャワホルダに下流端部が挿入された状態で、水栓本体内で混合される湯水混合水をシャワヘッドの側に供給する混合水供給管の下流端とシャワヘッドの上流端とに接続された可撓管に取付けられ、シャワヘッドの引出し時においてシャワヘッドがシャワホルダから出すぎるのを制限する筒状の樹脂製ストッパであって、このストッパが二つの半割り体で形成されるとともに、可撓管の外周面に形成された螺旋溝に嵌まり込む突条が、それぞれ前記半割り体の内周面に設けられ、更に、一方の半割り体には係止部、他方の半割り体には被係止部が設けられていることを特徴とする樹脂製ストッパ。
【請求項２】
前記二つの半割り体が薄肉のヒンジ部で連結されている請求項１に記載の樹脂製ストッパ。
【請求項３】
前記二つの半割り体は、互いに分離して形成されている請求項１に記載の樹脂製ストッパ。
【発明の詳細な説明】
【０００１】
【発明の属する技術分野】
この発明は、樹脂製ストッパに関するものである。
【０００２】
【従来の技術】
【特許文献１】特開２００２−１０６００６号公報
本出願人は、水栓本体に、シャワヘッドを引出し可能に支持するシャワホルダを設け、このシャワヘッドの引出し時においてシャワヘッドがシャワホルダから出すぎるのを制限する鉛よりなる重りを、混合水供給管の下流端とシャワヘッドの上流端に接続された可撓管に取付けてある浄水機能付湯水混合栓（図４参照）を提案している（前記特許文献１参照）。
【０００３】
すなわち、図４において、例えば台所用の浄水機能付湯水混合栓１００は、給湯管Ｈおよび給水管Ｃから流入する湯および水を適宜混合して混合水を混合水供給管１０２ａに供給する混合栓本体１０２と、混合栓本体１０２から供給される混合水、あるいは、水よりなる原水や、その浄水を吐水するシャワヘッド１０３と、このシャワヘッド１０３と混合水供給管１０２ａとを接続する可撓管１０４と、給湯管Ｈに連通連結されるサプライ管１０２ｂと、給水管Ｃに連通連結されるサプライ管１０２ｃと、混合水供給管１０２ａに供給される湯水の混合比と止水を含む吐水量の調整を行う操作レバー１０２ｄとを有し、シャワヘッド１０３は内部に可撓管１０４を挿通できるシャワホルダ１０３ａに支持されており、シャワホルダ１０３ａの先端部１０３ｂから引出し可能となっている。そして、シャワホルダ１０３ａの下端部から引き出された可撓管１０４はガイド１０５内を通った状態で前記混合水供給管１０２ａに連通するように接続されており、鉛よりなる重り１０６が可撓管４の途中に設けられている。シャワヘッド１０３は、円筒状の浄水カートリッジ１１０が取替自在に内蔵されている合成樹脂製のグリップ部１１１と、このグリップ部１１１の下流端にねじ止めにより接続される合成樹脂製の吐水口本体１１２とより構成されている。そして、シャワヘッド１０３の引出し時において可撓管４と友に移動する重り１０６がガイド１０５に当たることでシャワヘッド１０３がシャワホルダ１０３ａから出すぎるのを制限している。
【０００４】
【発明が解決しようとする課題】
しかし、重り１０６は二つ割りとなっており、可撓管１０４を挟む形で二本のねじで締付けられており、重たい重り１０６の取付作業や、重り１０６が当たるガイド１０５をシンク１２０直下に設けた取付板１２１に取付ける作業に手間がかかっていた。
【０００５】
この発明は、上記問題に鑑みてなしたもので、可撓管への取付作業を軽減しながら、シャワヘッドの引出し時においてシャワヘッドがシャワホルダから出すぎるのを制限できる樹脂製ストッパを提供することを目的としている。
【０００６】
【課題を解決するための手段】
上記目的を達成するために、この発明の樹脂製ストッパは、シャワヘッドを引出し可能に支持するシャワホルダに下流端部が挿入された状態で、水栓本体内で混合される湯水混合水をシャワヘッドの側に供給する混合水供給管の下流端とシャワヘッドの上流端とに接続された可撓管に取付けられ、シャワヘッドの引出し時においてシャワヘッドがシャワホルダから出すぎるのを制限する筒状の樹脂製ストッパであって、このストッパが二つの半割り体で形成されるとともに、可撓管の外周面に形成された螺旋溝に嵌まり込む突条が、それぞれ前記半割り体の内周面に設けられ、更に、一方の半割り体には係止部、他方の半割り体には被係止部が設けられていることを特徴とする。
【０００７】
【発明の実施の形態】
以下にこの発明の実施形態について説明する。なお、それによって、この発明は限定されるものではない。
【０００８】
図１〜図３において、台所用の浄水機能付湯水混合栓１は、給湯管Ｈおよび給水管Ｃから流入する湯および水を適宜混合して湯水混合水を混合水供給管２ａに供給する混合栓本体（水栓本体）２と、混合栓本体２から供給される混合水、あるいは、水よりなる原水や、その浄水を吐水するシャワヘッド３と、このシャワヘッド３と混合水供給管２ａとを接続する可撓管４とを有している。可撓管４は、上流端部４ｂが混合栓本体（水栓本体）２内で混合される湯水混合水をシャワヘッド３の側に供給する混合水供給管２ａの下流端Ｎに継手部材Ｔを介して接続され、また、下流端部４ａの先端がシャワヘッド３の上流端Ｍに接続されており、原水の給水流路を形成する。
【０００９】
２ｂ，２ｃはそれぞれ給湯管Ｈ、給水管Ｃに連通連結されるサプライ管であり、２ｄは混合水供給管２ａに供給される湯水の混合比と止水を含む吐水量の調整を行う操作レバーである。前記混合栓本体（水栓本体）２は、シンクの取付面部１６に設けた一つの貫通穴１６ａに嵌込まれた後固定されている筒状の取付部材１７を介して取付面部１６上に取付けられており、この取付部材１７内にサプライ管２ｂ，２ｃおよび混合水供給管２ａが挿通されている。取付部材１７は外周に雄ねじＰを有する一方、取付部材１７は、取付面部１６の下面で貫通穴１６ａの周面に当接するパッキン１９ａを介して取付面部１６の下面側から雄ねじＰに螺合する座金１９によって取付面部１６に固定されている。１７ａは、取付部材１７の下方開口部である。
【００１０】
シャワヘッド３は内部に可撓管４を挿通できるシャワホルダ３ａに支持されており、シャワホルダ３ａの先端部３ｂから引出し可能となっている。そして、シャワヘッド３の引出し時には、シャワホルダ３ａの下端部から可撓管４も引き出されるよう構成されている。シャワホルダ３ａは、混合栓本体２の下部を覆う筒状の回動蓋Ｆに取付けられている。
【００１１】
前記シャワヘッド３は、円筒状の浄水カートリッジ１０が取替自在に内蔵されている合成樹脂製のグリップ部１１と、このグリップ部１１の下流端にねじ止めにより接続される合成樹脂製の吐水口本体１２とよりなる。浄水カートリッジ１０は、例えば高性能抗菌繊維活性炭フィルタを有する。１４は、浄水カートリッジ１０の貫通穴で、浄水カートリッジ１０の軸線上に位置する。前記貫通穴１４は、前記給水流路に連通する原水流路を形成する。
【００１２】
前記吐水口本体１２は、上流端おける前記軸線上に前記原水流路に連通する原水用開口２０を有するとともに、上流端における原水用開口２０の直下に浄水用開口２１を有する。この浄水用開口２１は、前記浄水カートリッジ１０の外側に形成される環状の浄水流路に連通する。すなわち、浄水吐水状態では、シャワヘッド３のグリップ部１１から吐水口本体１２に至る内周面ｍおよび前記フィルタ１３の外周面ｎ間に形成される環状空間部Ｓを前記フィルタ１３によって濾過された浄水が浄水用開口２１へ流出する。
【００１３】
以下、この発明の特徴的構成について説明する。
【００１４】
２０は、筒状の樹脂製ストッパである。この樹脂製ストッパ２０は、可撓管４の所定位置に取付けられている。この所定位置とは、シャワヘッド３の引出し時においてシャワヘッド３がシャワホルダ３ａから出すぎるのを制限できる位置である。
【００１５】
更に、前記樹脂製ストッパ２０は、二つの半割り体２１，２２で形成され、かつ、二つの半割り体２１，２２は薄肉の上下一対のヒンジ部２６，２７で連結されている。そして、可撓管４の外周面Ａに当接しながら可撓管４を覆うための半円状切欠２９および３０が、それぞれ半割り体２１および２２の各対象位置に設けられている。
【００１６】
一方の半割り体２１および他方の半割り体２２には、それぞれ、可撓管４の外周面Ａに形成された螺旋溝２３に嵌まり込む所定の傾斜角度を有する一本の突条２４および２５が内周面２１ａおよび２２ａに設けられている。一方の半割り体２１は、内周面２１ａを有する半割り体本体と、取付部材１７の下方開口部１７ａの環状の下面１７ａ’に当接する大きさを有し、半割り体本体の上下端面から水平状態で外向きに突出する円弧状の上下フランジ３６，３７よりなる。また、他方の半割り体２２は、内周面２２ａを有する半割り体本体と、取付部材１７の下方開口部１７ａの環状の下面１７ａ’に当接する大きさを有し、半割り体本体の上下端面から水平状態で外向きに突出する円弧状の上下フランジ３８，３９よりなる。
【００１７】
また、半割り体２１および２２同士の係止手段が、一方の半割り体２１に設けた係止孔（被係止部）３２および係止爪（係止部）３３と、他方の半割り体２２に設けられ、これら係止孔３２および係止爪３３にそれぞれ係合する係止爪（係止部）３４および係止孔（被係止部）３５とよりなる。係止孔３２および係止爪３３は、半割り体２１の半割り面部２１ａの上下位置に形成され、また、係止爪３４および係止孔３５は、半割り体２２の半割り面部２２ａの上下位置に形成されている。
【００１８】
而して、可撓管４の外周面Ａに形成された螺旋溝２３に一方の半割り体２１の突条２４および他方の半割り体２２の突条２５を嵌まり込ませながら、一方の半割り体２１の係止孔３２に他方の半割り体２２の係止爪３４を係合させるとともに、他方の半割り体２２の係止孔３５に一方の半割り体２１の係止爪３３を係合させるだけの簡単な取付作業で樹脂製ストッパ２０を可撓管４の所定位置に取付けできる。すなわち、半割り体２１および２２同士の係止手段を、従来のように重り１０６とは別体の二本のねじを用いることなく、半割り体２１および２２自体に一体的に設けたので、従来のように二本のねじで重たい重り１０６を締付けるようなことはなく、作業性を向上させることができる。また、樹脂製ストッパ２０は、鉛製の重り１０６に比してコスト安である。
【００１９】
そして、シャワヘッド３の引出し時においては、図１に示す状態から、図２に示すように、取付部材１７の下方開口部１７ａの方向（Ｊ方向）に可撓管４と共に樹脂製ストッパ２０が可撓管４に固定された状態で移動し、その後、一方の半割り体２１の上フランジ３６と他方の半割り体２２の上フランジ３８が下方開口部１７ａの環状の下面１７ａ’に当接するので、シャワヘッド３がシャワホルダ３ａから出すぎるのを阻止できる。
【００２０】
【発明の効果】
以上説明したようにこの発明によれば、取付作業を軽減しながら、シャワヘッドの引出し時においてシャワヘッドがシャワホルダから出すぎるのを制限できる樹脂製ストッパを提供することができる。
【図面の簡単な説明】
【図１】この発明の一実施形態における使用状態を示す全体構成説明図である。
【図２】上記実施形態における取付動作を説明するための要部構成説明図である。
【図３】上記実施形態を適用した水栓を示す構成説明図である。
【図４】従来例における使用状態を示す全体構成説明図である。
【符号の説明】
２…水栓本体、２ａ…混合水供給管、３…シャワヘッド、３ａ…シャワホルダ、４ａ…下流端部、４…可撓管、２０…樹脂製ストッパ、２１，２２…二つの半割り体、２３…螺旋溝、２４，２５…突条、２１ａ，２２ａ…内周面、３３，３４…係止部、３２，３５…被係止部、Ａ…外周面、Ｎ…下流端、Ｍ…上流端。
【図１】
2005016259.tif 000003
【図２】
2005016259.tif 000004
【図３】
2005016259.tif 000005
【図４】
2005016259.tif 000006